(57)【特許請求の範囲】
【請求項１】
１０Ｈｚ以下の低周波で作動する超電導発電機であって、
高温超電導体で形成された回転子巻線と、前記回転子巻線を冷却する冷却液が循環するクライオスタットと、前記クライオスタットを包囲しかつ回転子電流によって形成される非同期場を減衰させることで前記回転子巻線を遮蔽する電磁シールドとを含む回転子アセンブリと、
強磁性材料で形成された固定子鉄心を含み、前記固定子鉄心がバックアイアン領域と前記バックアイアン領域から内側半径方向に延びる複数の歯とを有し、前記複数の歯は一定間隔でかつ相互に周方向に離間し、隣接する歯間の間隔がスロットを形成し、前記スロットが固定子巻線を収容して支持するように構成された固定子アセンブリとを備え、
前記スロットの幅の合計と前記歯およびスロットの幅の合計との比が０．６５〜０．９０の範囲であり、前記固定子アセンブリと前記回転子アセンブリとの間の空隙が２０ｍｍより大きく、
前記スロットは、矩形状を有し、
前記固定子巻線の前記スロット内に収容される直線状部分は、矩形状を有し、
前記直線状部分の断面積は、前記スロットの面積と実質的に同じであり、
前記固定子巻線は、前記スロットを実質的に完全に占有する超電導発電機。
【請求項２】
請求項１に記載の超電導発電機は、更に、
直線状部分を含む固定子巻線を備え、
各スロット内には、多数の固定子巻線直線状部分が配置されている超電導発電機。
【請求項３】
請求項１に記載の超電導発電機は、更に、
半径方向の導体寸法が周方向の導体寸法の少なくとも１．５倍となるように前記スロット内に配置された個々の導線を含む少なくとも１つの固定子巻線を備えている超電導発電機。
【請求項４】
請求項１に記載の超電導発電機は、更に、
少なくとも１つの固定子巻線を備え、
前記固定子巻線は、クランク状コイル巻線を備えている超電導発電機。
【請求項５】
請求項１に記載の超電導発電機において、
前記歯の半径方向の最も内側の縁部は前記固定子鉄心の穴を一緒に画成し、前記穴と前記回転子の巻線との間にある環状の領域には、強磁性材料が存在しない超電導発電機。
【請求項６】
請求項１に記載の超電導発電機において、
前記回転子アセンブリは、前記回転子の巻線と固定子アセンブリとの間に非磁性電磁シールドを備えている超電導発電機。
【請求項７】
請求項１に記載の超電導発電機を備える風力タービン。
【発明の詳細な説明】
【技術分野】
【０００１】
発電は、回転電気機械の重要な用途である。風力エネルギーは、米国および世界中で、最も成長著しい電源の１つであり、回転電気機械を利用する風力タービンは、風力エネルギーを使用に適した出力に変換するのに用いられている。風力タービンの発電機は、発電機及び制御電子機器に加え、低速の回転を発電に適した高速回転に変換するための変速装置を、構成要素として備えている。風力タービンでは、発電機の構成要素が、風力タービンのコスト全体の約３分の１になることもある。
【背景技術】
【０００２】
従来の非超電導発電機において、固定子巻線は、磁束経路として作用するバックアイアンによって包囲されている。バックアイアンは、多くの場合、積層されたプレート状に形成され、プレートは、磁路を設けるためと鉄歯間に形成されたスロット内の固定子巻線を支持するため、固定子巻線間に延びる鉄歯を備えている。６０Ｈｚ以上の高周波で作動するそのような機械では、歯が磁束を通し、スロットの面積と歯の面積との比が約５０％となっている。この比は、従来の機械では、機械の内部で生成される磁束に適応するのに必要とされている。従来の機械において、歯の面積は、鉄と銅の相対的なコスト差により、機械のコストを低減するためにスロット面積に対して実質的に増加している。
【発明の概要】
【発明が解決しようとする課題】
【０００３】
超電導発電機は、１９６０年代初頭から開発中である。これら機械での超電導巻線の利用は、機械の巻線および磁束の密度の増加によって生じる起磁力の著しい増加をもたらした。磁束密度は、鉄歯の飽和および過電流損による高損失を生じるほどまでに増加した。その結果、磁束密度がこれらの部材に大きな消散をもたらすため、固定子コイル間に鉄歯を要することなく作動するように、超電導機械の開発が行われてきた。場合によっては、それらの機械の固定子コイルを支持するのに、鉄歯ではなく、線維複合体歯が使用されている。しかしながら、線維複合体歯の製造コストは非常に高くなっている。
【課題を解決するための手段】
【０００４】
いくつかの態様において、回転電気機械に使用される固定子アセンブリが提供される。固定子アセンブリは、スロットを画成する複数の歯を含む固定子鉄心を備え、スロットは、固定子巻線を収容して支持するように構成されている。固定子鉄心は強磁性材料で形成され、スロットの幅の合計と歯およびスロットの幅の合計との比は０．６５〜０．９０の範囲である。
【０００５】
固定子アセンブリは、以下の特徴のうちの１つ以上を含むことができる。スロットは、固定子鉄心内に形成された細長くかつ半径方向に拡がる開口部である。歯は、半径方向内側に延びると共に相互に周方向に離間している。固定子アセンブリは、更に、スロット内に配置された少なくとも１つの固定子巻線を備え、固定子巻線は、導線からなる複数の束で形成されたコイルを備えている。固定子鉄心は、積層プレートからなるアセンブリを備えている。スロットの幅の合計と歯およびスロットの幅の合計との比は０．７０〜０．９０の範囲である。スロットの幅の合計と歯およびスロットの幅の合計との比は０．７５〜０．９０の範囲である。固定子アセンブリは、更に、直線状部分を含む固定子巻線を備え、直線状部分は、幾つかあるスロットのうちの１つに配置され、スロットをほぼ完全に占有するように構成されている。直線状部分の断面積は、スロットの面積とほぼ同じである。固定子アセンブリは、更に、直線状部分を含む固定子巻線を備え、各スロット内には、多数の固定子巻線直線状部分が配置されている。直線状部分の断面積は、スロットの面積のほぼ半分であり、各スロット内には、２つの固定子巻線直線状部分が設けられている。固定子アセンブリは、更に、少なくとも１つの固定子巻線を備え、固定子巻線は、クランク状コイル巻線を備えている。半径方向の導体寸法が周方向の導体寸法の少なくとも１．５倍の大きさとなるように、固定子アセンブリは、更に、スロット内に各導線を含む少なくとも１つの固定子巻線を備えている。半径方向の導体寸法が周方向の導体寸法の少なくとも２倍の大きさとなるように、固定子アセンブリは、更に、スロット内に各導線を含む少なくとも１つの固定子巻線を備えている。半径方向の導体寸法が周方向の導体寸法の少なくとも３倍の大きさとなるように、固定子アセンブリは、更に、スロット内に各導線を含む少なくとも１つの固定子巻線を備えている。
【０００６】
他の態様においては、回転電気機械が提供される。回転電気機械は、回転子アセンブリおよび固定子アセンブリを備えている。固定子アセンブリは、スロットを画成する複数の歯を有する固定子鉄心を備え、スロットは、固定子巻線を収容して支持するように構成されている。固定子巻線支持体は強磁性材料で形成され、また、スロットの幅の合計と歯およびスロットの幅の合計との比は０．６５〜０．９０の範囲である。
【０００７】
回転電気機械は、次の特徴のうちの１つ以上を含むことができる。即ち、回転子アセンブリは、高温超電導巻線を有する回転子を備えている。回転子および固定子アセンブリは、１０Ｈｚ以下の周波数で作動するように構成されている。回転子および固定子アセンブリは、３Ｈｚ以下の周波数で作動するように構成されている。回転子および固定子アセンブリは、約２Ｈｚの周波数で作動するように構成されている。固定子鉄心は、１．８Ｔより大きな作動中の歯磁束密度を有するように構成されている。固定子鉄心は、２．０Ｔより大きな作動中の歯磁束密度を有するように構成されている。固定子鉄心は、２．２Ｔより大きな作動中の歯磁束密度を有するように構成されている。固定子鉄心は、２．４Ｔより大きな作動中の歯磁束密度を有するように構成されている。固定子鉄心は、２．６Ｔより大きな作動中の歯磁束密度を有するように構成されている。固定子鉄心は、２．８Ｔより大きな作動中の歯磁束密度を有するように構成されている。機械は、更に、直線状部分を有する固定子巻線を備え、直線状部分は、幾つかあるスロットのうちの１つに配置され、直線状部分は、スロットをほぼ完全に占有するように構成されている。機械は、更に、直線状部分を有する固定子巻線を備え、各スロット内には、多数の固定子巻線直線状部分が配置されている。半径方向の導体寸法が周方向の導体寸法の少なくとも１．５倍であるように、機械は、更に、スロット内に各導線を有する少なくとも１つの固定子巻線を備えている。機械は、更に、少なくとも１つの固定子巻線を備え、固定子巻線は、クランク状コイル巻線を備えている。機械は、更に、固定子アセンブリと回転子アセンブリとの間に１５ｍｍより大きな空隙を備えている。機械は、更に、固定子アセンブリと回転子アセンブリとの間に２０ｍｍより大きな空隙を備えている。
【０００８】
超電導電気機械は、風力駆動式の直接駆動発電機として、理想的には、風力タービンの用途に適している。風力タービンの低周波（１０Ｈｚ以下）出力により、高い作動周波数の発電機に付随する大きな電力損失を招くことなく、強磁性材料で形成された固定子巻線支持体を含む低コストの超電導発電機を提供することができる。強磁性材料で形成された固定子巻線支持体の利用により、比較的低コストの発電機がもたらされる。
【０００９】
以下に詳細に説明するように、本発明の固定子アセンブリは、あらゆる性能の向上、ならびにＨＴＳ発電機全体の製造コスト低減に寄与するとの特徴を有している。具体的には、低周波超電導発電機は、全スロット面積と全支持体面積との比が６０％より大きな固定子支持体の設計を可能にする。比較的大きなスロットサイズにより、スロット内の導体の断面積が従来の機械における断面積よりもかなり大きくなり、また、増加した出力を実現することもできる。
【００１０】
いくつかの実施形態においては、特定の固定子巻線構造を選択することにより、単一の巻線が対応するスロット内に設けられている。その結果として、スロット内の導体の断面積が他の固定子巻線構造よりも更に増加し、その場合、単一のスロットが２つ以上の固定子巻線の脚部によって占有されると共に、各脚部間に設けられた絶縁体が導体全体の断面積を低減する。
【００１１】
発電機は、強磁性積層体で形成されかつ固定子コイル巻線を支持するように設けられた複数の歯を含む固定子鉄心を備えている。固定子支持体を形成するための強磁性材料の使用により、線維複合体材料の使用と比較して、製造コストを低減することができる。固定子支持体の強磁性の歯は高度に飽和するが、発電機が比較的低い周波数で作動することにより、歯飽和ならびに銅および発熱に起因するより高い周波数の機械に付随する電力損失が最小限に抑えられる。
【００１２】
超電導同期発電機が１０Ｈｚ以下の発電機作動周波数で２．８テスラより大きな固定子歯磁束密度を生じることが示されている。また、これらの機械において、固定子と回転子アセンブリとの間に１５〜２０ｍｍより大きな空隙を利用すれば、損失を更に少なくできる。
【００１３】
本発明を実施するための態様を、添付図面に示す本発明の一実施形態を参照して、以下に説明する。本発明に関する上述した目的、他の目的、特徴および効果は、添付図面と共に、以下に提示する本発明の実施形態の詳細な説明から明らかになるであろう。
【図面の簡単な説明】
【００１４】
【図１】発電機の概略側断面図。
【図２】図１の発電機の固定子および回転子アセンブリの端部斜視図。
【図３】固定子巻線のない状態の図１の発電機の固定子鉄心の部分断面図。
【図４】各側部がスロット全部を占有するクランク状固定子巻線の斜視図。
【図５】クランク状固定子巻線がスロットに配置された状態の図１の発電機の固定子鉄心の部分斜視図。
【図６】固定子鉄心内のクランク状固定子巻線の端部巻回の斜視図。
【図７】図１の発電機の場合の開回路磁束プロファイル。
【図８】菱形固定子巻線の斜視図。
【図９】菱形固定子巻線がスロット内に配置された状態の図１の発電機の固定子鉄心の部分断面図。
【図１０】単層固定子巻線の平坦な固定子巻線部の斜視図。
【図１１】単層固定子巻線のアップセット状端部巻線部の斜視図。
【図１２】多数の単層固定子巻線のアセンブリの斜視図。
【発明を実施するための形態】
【００１５】
図１を参照すると、発電機１０は、固定子アセンブリ１００内に取付けられた回転子アセンブリ４０を含む回転超電導機械である。以下に詳細に記載されているように、発電機１０は、１０Ｈｚ以下の低周波数用途に用いるために構成されている。例えば、発電機１０を風力タービンの発電機として用いる場合、回転子および固定子アセンブリ４０、１００は、約２Ｈｚで作動するように構成されている。
【００１６】
回転子アセンブリ４０は、高温超電導体（ｈｉｇｈ−ｔｅｍｐｅｒａｔｕｒｅ  ｓｕｐｅｒｃｏｎｄｕｃｔｏｒ：ＨＴＳ）で形成された回転子巻線４２と、トルク伝達システム５０と、電磁シールド６０とを備えている。回転子巻線４２は、クライオスタット３４内の回転子巻線支持構造４４によって支持されている。他の構成も可能であるが、本実施形態の回転子巻線４２は、レーストラック構造で形成された幾つかのＨＴＳサブコイルを備えている。その内容全体が参照として本願明細書に組込まれている米国特許第６，５０９，８１９号明細書は、回転子コイル構造について詳細に考察している。トルク伝達システム５０は、回転子アセンブリによって生成される回転力を出力軸３０へ伝達すると共に、クライオスタット３４内に配置されている。システム５０は、一方の端部が回転子巻線支持構造４４に接続されて他方の端部がエンドプレート５４を介して出力軸３０に接続されたトルクチューブ５２を備えている。電磁シールド６０は、クライオスタット３４を包囲し、かつ固定子電流によって生成される非同期場を減衰させることで回転子巻線を遮蔽する導電性の非磁性材料から形成されている。また、電磁シールド６０は、クライオスタットを、固定子アセンブリ内で発生した熱から保護する。
【００１７】
また、発電機１０は、電流を回転子巻線４２に供給するブラシレス励磁機１６を備えている。励磁機１６は、変圧器と、回転子巻線４２のための電力を調整および制御する関連する電子装置（図示せず）とからなる。回転子巻線４２は、気体ヘリウムを用いて回転子支持体構造４４を介して伝導冷却され、ヘリウムは、ＨＴＳ回転子巻線４２を冷却するためにクライオスタット３４の内部を循環させられる。気体ヘリウムの回転子アセンブリ４０への内側および外側フローを可能にする冷却剤供給ライン４８は、静止・回転結合体である同軸ヘリウム伝達カップリング１４を通過する。軸受部３２は、出力軸３０の両端部を支持するようにフレーム２４内に取付けられ、それにより、回転子アセンブリ４０は回転可能であり、かつ固定子アセンブリ１００内に同軸に支持されている。
【００１８】
図２を参照すると、固定子アセンブリ１００は、固定子鉄心１０２と、固定子巻線１３０とを備えている。固定子鉄心１０２は、積層強磁性プレート１０６からなるアセンブリである中空円柱状本体１０４である。固定子鉄心１０２を形成するため、強磁性プレート１０６は、所望の歯形状を形成するように穿孔され、プレート１０６は、中空円柱状本体１０４を形成するように積層されてエポキシ等の従来の手段により固定されている。
【００１９】
図３についても参照すると、固定子鉄心１０２は、固定子鉄心１０２の外径に隣接し、かつその外径を有するバックアイアン領域１０８を含み、また、多数の固定子歯１１２が、スロット１１４を形成するようにバックアイアン領域１０８から内側半径方向に延びている。各歯１１２は歯幅ｗＴを有し、全ての歯１１２は略等しい歯幅ｗＴを有している。設けられている歯１１２の数は、固定子鉄心１０２内で支持すべき固定子巻線１３０の構造に一部依存する。発電機１０の図示されている実施形態において、固定子鉄心１０２には、２１６個の固定子歯１１２が設けられている。
【００２０】
断面で見ると、固定子歯１１２は一定間隔でかつ相互に周方向に離間しており、隣接する歯１１２間の間隔が固定子スロット１１４を画成している。固定子スロット１１４は、矩形状でかつ隣接する歯１１２間の（周方向）距離に相当するスロット幅ｗＳを有している。この実施形態において、固定子スロット１１４の矩形状の形状は、スロット１１４内に収容される固定子巻線１３０の直線状部分の矩形状の周囲形状を反映している。歯１１２の半径方向の最も内側の縁部１１２ａは、固定子鉄心１０２の円柱状回転子アセンブリ収容穴１１６を一緒に画成している。隣接する歯１１２の各ペア間には、スロット開口部１２０が画成されており、そこを通って、固定子巻線１３０がスロット内に挿入されている。
【００２１】
回転子アセンブリ４０は、回転子アセンブリ４０と固定子アセンブリ１００とが同軸になるように、穴１１６内に支持されている。この構成により、空隙１１８が、固定子鉄心１０２の内面（例えば、穴面１１６）と、電磁シールド６０の外面６２との間に形成される。
【００２２】
発電機１０の図示した実施形態において、固定子アセンブリは、三相または九相構造で配置された１０８個の固定子巻線１３０を備えている。三相構造の場合、各相には３６個の固定子巻線１３０が設けられて、２４極構成となる。
【００２３】
図４〜図６を参照すると、固定子巻線１３０は、転置ワイヤケーブル１３２で形成されており、この場合、個々の銅導線（１５７）は、渦電流損を低減するパターンを形成するように巻回および／または編み込まれている。転置ケーブル１３２は、リッツ線、Ｒｕｔｈｅｒｆｏｒｄ線、Ｒｏｂｅｌ線、あるいは、他の何らかの適当な転置ワイヤを含むことができる。転置の効果は、ワイヤ間に端部転置を用いることにより、あるいは、各コイルに対して単一のワイヤを直列に用い、および端部コイル接続部において並列に作動する設計を選択することによって実現することもできる。
【００２４】
導体１５７の断面が矩形状である場合、導体の半径方向の寸法（即ち、スロット深さｄＳと位置合わせされた寸法）は、渦電流損を小さくするために、周方向の寸法（即ち、スロット幅ｗＳと位置合わせされた寸法）よりも長くなっている。典型的な導体１５７は、１．５：１〜５：１の範囲の半径方向寸法対周方向寸法のアスペクト比を有している。ここに記載したアスペクト比は、磁束線が２つの隣接する歯間でジャンプするスロット間の漏れによって渦電流損が支配される従来の機械において典型的であることとは逆であることに留意すべきである。多重より線であるリッツ線は、一般に、１：１のアスペクト比を有している。
【００２５】
転置ケーブル１３２は、外側絶縁シースを有しており、それによって、絶縁層１５２が巻線間に形成され、固定子巻線１３０の外側周辺部が接地絶縁体から成る層１５０を有している。
【００２６】
転置ケーブル１３２は、固定子アセンブリ１００の長手方向軸と直角な軸に巻回されて、端部巻線部１３８によって接続された直線状部分１３６の平行なペアを含む細長いマルチターン巻線１３０を形成している。この場合、固定子巻線１３０は、直線状部分１３６が平行に延びる直線状の細長い部材であるクランク状巻線（図４）からなる。端部巻線部１３８は、Ｕ字状巻線１４０を含み、Ｕ字状巻線１４０は、直線状部分１３６が位置する平面に垂直な面内に位置している。その結果、一方の端部巻線脚部１３８ａは平面から半径方向外側に位置し、戻り脚部端部巻線部１３８ｂは平面内に位置している。端部１３８の特有の形状により、固定子巻線１３０がそれぞれのスロット１１４間に延びること、および他の固定子巻線１３０（図６）の各端部１３８の存在に適応することが可能になる。
【００２７】
固定子巻線１３０の直線状部分１３６は、スロット開口部１２０を通ってスロット１１４に挿入され、また、スロットウェッジ１５６は、固定子巻線１３０をスロット１１４内に保持するのに用いられる。いくつかの実施形態において、絶縁スロットライナ１５４は、固定子巻線１３０とスロット１１４の一方の側壁１１４ａとの間でスロット１１４内に配置されている。この構造において、スロットライナ１５４は、均等な実装を確実にするため、スロット内のパッキングとして作用する。別例として、スロットライナ１５４’（図示せず）は、固定子巻線１３０を３つの側部から包囲して、巻線１３０を全てのスロット壁部から絶縁するように構成してもよい。クランク状巻線１３０の利用は、直線状部分１３６の矩形状の断面が固定子鉄心１０２に設けられた比較的幅広のスロット１１４での使用に適しているため、有利である。具体的には、直線状部分１３６の断面積はスロット面積ＡＳと実質的に同じであり、この場合、スロット面積ＡＳはスロット幅ｗＳにスロット深さｄＳを乗じたものとして定義され（図３）、クランク状固定子巻線１３０はスロット１１４を実質的に完全に占有する（図５）。
【００２８】
再び図１を参照すると、固定子巻線１３０は、電源ライン２２を介して外部電力変換装置２５に電気的に接続され、出力軸３０を回転させる回転子にトルクが印加されると、ＨＴＳ回転子巻線４２から空隙１１８を通って延びると共に固定子１３０と相互に作用して電力を生成する交番磁束が発生する。
【００２９】
固定子巻線１３０は、従来の方法で冷却される。例えば、いくつかの実施形態において、固定子巻線１３０は、伝導冷却することができる。この実施例において、直線状部分１３６は、バックアイアン１０８を介して伝導冷却することができ、熱は、エアフロー、又は固定子鉄心１０２の外径上の液体冷却ジャケット（図示せず）によって除去することができる。端部巻線１３８は、強制対流によって冷却することができる。他の実施形態において、固定子巻線１３０は空冷することができる。例えば、積層間隔（図示せず）を固定子鉄心１０２内に設けることができ、そして、強制対流によって、固定子鉄心１０２の内径から外径へと空気を換気することができる。端部巻線１３８は、強制対流によって冷却することもできる。他の実施形態において、固定子巻線１３０は、直接液体冷却によって冷却することができる。例えば、固定子巻線１３０は、固定子スロット領域内に狭い冷却流路（図示せず）を付加して、誘電液体との直接接触によって冷却することができる。さらに他の実施形態において、固定子巻線１３０は、巻線内に作られた内部チューブと共に作製することができ、脱イオン水をチューブ内に循環させて直接冷却を実現することができる。さらに他の実施形態において、固定子巻線１３０に外部水冷チューブを設けることができ、具体的には、巻線の接地絶縁体の外側にチューブを有することができる。脱イオン水または淡水をチューブ内に循環させて、固定子巻線冷却を実現することができる。この場合、接地平面絶縁体の外側面での冷却を改善するため、銅製フィンにチューブを埋め込むことができる。
【００３０】
再び図３を参照すると、固定子鉄心１０２は、全体の歯幅ｗＴが全体のスロット幅ｗＳよりも小さくなるように形成されている。具体的には、スロットの幅の合計と歯及びスロットの幅の合計との比は０．６５〜０．９０の範囲であり、ただし、スロットの幅の合計は、
ＳｕｍｗＳ＝ΣｗＳ１＋ｗＳ２＋ｗＳ３＋．．．＋ｗＳＮ
として定義され、歯およびスロットの幅の合計は、Ｗ
ＳｕｍｗＳ＋ｗＴ＝ｗＳ１＋ｗＳ２＋ｗＳ３＋．．．＋ｗＳＮ＋ｗＴ１＋ｗＴ２＋ｗＴ３＋．．．＋ｗＴＮ
として定義され、Ｎは、固定子鉄心１０２におけるスロットの数である。図示した実施形態において、Ｎ＝２１６であるが、固定子鉄心１０２はスロットの数に限定されない。
【００３１】
他の実施形態において、スロットの幅の合計と歯およびスロットの幅の合計との比は０．７０〜０．９０の範囲である。さらに他の実施形態において、スロットの幅の合計と歯およびスロットの幅の合計との比は０．７５〜０．９０の範囲である。
【００３２】
発電機１０のいくつかの実施形態において、スロット幅ｗＳは、歯幅ｗＴの少なくとも２倍とすることができ、この装置における歯の主な機能は、固定子巻線１３０のための支持をもたらすことである。高周波数の機械において、このようなスロットと歯の比は、高損失および出力の限界と関連している。このため、本明細書に開示されたスロットの幅の合計と歯およびスロットの幅の合計との比を有する固定子鉄心は、新規である。対照的に、発電機１０では、比較的大きなスロット面積がスロット内でのさらなる導体の利用を可能にする。特に、導体が細分化されて効率的に転置されている場合、増加した導体面積に伴って電力損失が減少することから、有利である。また、発電機１０の固定子歯１１４は主に固定子巻線１３０を支持するように作用するものの、強磁性材料の使用が空隙磁束のわずかな増加（約１０％）ももたらす。
【００３３】
加えて、発電機１０が（１０Ｈｚまでの）低周波数で作動するため、スロット内の強磁性の歯および銅導体に付随する渦電流損が低減される。
さらに、固定子歯１１４を形成するための強磁性材料の利用により、発電機１０を安価に製造することができる。
【００３４】
発電機１０が低周波数、例えば約２Ｈｚで作動される場合、歯磁束密度は１．８テスラより大きい。固定子および回転子アセンブリの一部に関して算出した磁束密度を表す図７に示すように、歯磁束密度は３．０テスラよりも大きいことが分かる。従って、発電機１０は磁束飽和歯によって作動するように構成されると共に、作動中、発電機１０の歯１１４は、一般に、１．８テスラ未満の磁束密度を有する歯によって作動する従来の超電導発電機よりもかなり高い磁束密度になっている。しかしながら、発電機１０の低周波数作動により歯１１４が飽和するものの、その結果生じる損失は（ＡＲＭＣＯテーブルから見積もられるように）１０ｋＷ未満に過ぎない。
【００３７】
発電機１０は、ここまで、クランク状固定子巻線１３０を採用するように説明してきた。しかしながら、発電機１０は、クランク状固定子巻線１３０の使用に限定されず、他の構造からなる巻線、例えば、限定するものではないが、菱形巻線２３０または単層巻線３３０を用いることも十分に本発明の範囲内である。
【００３８】
図１１を参照すると、菱形巻線２３０は、概して菱形形状で巻回された転置ケーブル１３２を含む。菱形巻線２３０は、同位相の隣接する巻線の直線状部分２３６を重ね合わせることによって固定子スロット１１４内に配置され、それによって、各スロット１１４は２つの巻線２３０を収容する。特に、一方の直線状部分２３６ａは、１つのスロット１１４の半径方向内側の位置を占有し、他方の直線状部分２３６ｂは、別のスロット１１４の半径方向外側の位置を占有する。標準的な菱形巻線は、約５０％より大きなスロット充填の実現を困難にする端部形状を有している。図１２に示すように、直線状部分２３６の断面積はスロット面積ＡＳの約半分であり、菱形巻線２３０の直線状部分２３６はスロット１１４の約半分を占有する。各菱形巻線上の接地絶縁部１５０の存在により、絶縁体から成る二重層がスロット１１４内に配置された２つの巻線２３０間に形成され、菱形巻線２３０を用いた場合のスロット１１４内の導体の量はクランク状巻線１３０を用いた場合よりも少ないという効果がある。
【００３９】
次に、図１３〜図１５を参照すると、単層巻線３３０は、アップセット状端部固定子巻線３３０ｂ（図１４）と組み合わせて用いられる平坦な固定子巻線３３０ａ（図１３）を含む。平坦な固定子巻線３３０ａにおいて、端部巻線部３３８ａは、Ｕ字状であり、直線状部分３３６ａと同じ平面内に位置している。アップセット状端部固定子巻線３３０ｂにおいて、端部巻線部３３８ｂはＵ字状であるが、直線状部分３３６ｂによって画成される平面から上方に延びている。一緒に組立てると（図１５）、アップセット状端部固定子巻線３３０ｂの直線状部分３３６ｂは、平坦な固定子巻線３３０ａの直線状部分３３６ａと同じ平面内のそれらの直線状部分間に設けられている。また、アップセット状端部固定子巻線の端部巻線部３３８ｂは、平坦な固定子巻線３３０ａの端部巻線部３３８ａと平行に、かつ一部を重複させて位置している。クランク状巻線１３０と同様に、直線状部分３３６ａ、３３６ｂの断面積はスロット面積ＡＳと実質的に同じであり、単層巻線３３０はスロット１１４をほぼ完全に占有する。また、単層巻線は、異なる絶縁要件により、クランク状巻線１３０よりも良好な導体充填要素を有している。しかしながら、単層コイル３３０は、単層巻線１３０よりも、取付けて支持することが難しい可能性がある。
【００４０】
発電機１０に用いる固定子アセンブリ１００の例示的な実施形態をある程度詳細に説明した。しかしながら、本願明細書に記載の固定子アセンブリは、発電機での用途に限定されない。例えば、固定子アセンブリは、高トルクで低速のモータを含む他の種類の回転電気機械に用いることができる。
【００４１】
また、本発明を明確にするのに必要と思われる構造のみが本願明細書に記載されていることを理解すべきである。他の従来の構造、およびそのシステムの付属のおよび補助的な構成要素の構造は、当業者に知られ、かつ理解されていることを前提としている。さらに、本発明の実用的な実施例を上述してきたが、本発明は、上述した実用的な実施例に限定されず、クレームに記載される本発明から逸脱することなく、様々な設計上の変更を実行することができる。
【図１】
0006035146.tif 000002
【図２】
0006035146.tif 000003
【図３】
0006035146.tif 000004
【図４】
0006035146.tif 000005
【図５】
0006035146.tif 000006
【図６】
0006035146.tif 000007
【図７】
0006035146.tif 000008
【図８】
0006035146.tif 000009
【図９】
0006035146.tif 000010
【図１０】
0006035146.tif 000011
【図１１】
0006035146.tif 000012
【図１２】
0006035146.tif 000013